(57)【要約】【課題】容易に所望の施工精度を確保することができるとともに、施工の作業性が向上し、よって工期の短縮化も実現することができる排水桝を提供する。【解決手段】床部材１の上面に、嵩上げコンクリート３が打設された床内に埋設される排水桝であって、床部材１に形成された開口部１ａに取り付けられるとともに底部に排出管６が接続され、内周面が金属によって形成された有底筒状の下部桝２と、この下部桝２の上部に接合一体化されるとともに嵩上げコンクリート３の厚さ寸法に対応する高さ寸法を有する筒状の金属製の上部桝１０とを備えてなり、上部桝１０の側壁に流入管および／または側溝の接続部１１が設けられていることを特徴とする。【選択図】図１
2007146376.tif 000002
【特許請求の範囲】
【請求項１】
床部材の上面に、嵩上げコンクリートが打設された床内に埋設される排水桝であって、上記床部材に形成された開口部に取り付けられるとともに底部に排出管が接続され、内周面が金属によって形成された有底筒状の下部桝と、この下部桝の上部に接合一体化されるとともに上記嵩上げコンクリートの厚さ寸法に対応する高さ寸法を有する筒状の金属製の上部桝とを備えてなり、上記上部桝の側壁に流入管および／または側溝の接続部が設けられていることを特徴とする排水桝。
【請求項２】
上記下部桝は、上端部に水平方向に形成された鍔部が、上記床部材の開口部周縁の上面に固定され、かつ当該鍔部に上記上部桝の下端部が接合されるとともに、上記床部材の上面から上記下部桝の上記鍔部を介して上記上部桝の外周に至る部分に、上記下部桝の上記鍔部および上記上部桝を全周にわたって覆う防水層が形成されていることを特徴とする請求項１に記載の排水桝。
【請求項３】
上記上部桝および下部桝は、少なくとも内周面がステンレス鋼によって形成されていることを特徴とする請求項１または２に記載の排水桝。
【発明の詳細な説明】
【技術分野】
【０００１】
本発明は、特に食品工場等におけるＨＡＣＣＰ対応の排水設備に用いて好適な排水桝に関するものである。
【背景技術】
【０００２】
米国において宇宙食の安全性を確保するために開発された食品衛生管理の手法であるＨＡＣＣＰ（Hazard Analysis Critical Control Point）は、日本の食品衛生法においても取り入れられ、近年においては、すべての食品に対する衛生管理への導入が奨励されつつある。
このＨＡＣＣＰは、原材料から最終製品に至る各々の工程において衛生管理のための重要な管理点（ＣＣＰ）を特定し、危害発生の防止や排除を行うシステムであり、食品工場等においては、設備や機器類の保守管理とともに、排水の衛生管理も対象となっている。
【０００３】
そこで、近年、上記食品工場等の食品を取り扱う施設においては、その排水系として、洗浄性や抗菌性、さらにはメンテナンス性に優れる各種構造の排水桝が採用されている。
図４は、従来のＨＡＣＣＰ対応の排水桝を示すもので、この排水桝は、上記施設の床スラブ１に取り付けられたトラップ桝２と、このトラップ桝２の上方に連通するように床スラブ１上に打設された嵩上げコンクリート３に形成された穴部４とから概略構成されたものである。
【０００４】
ここで、トラップ桝２は、全ての入り隅部にＲ加工が施されたステンレス鋼からなる有底角筒状のもので、このトラップ桝２の外周には、耐火被覆板２ａが配設されている。そして、このトラップ桝２および耐火被覆板２ａは、床スラブ１に形成された開口部１ａ内に挿入されるとともに、上端部周縁に形成された鍔部２ｂが床スラブ１の開口部周縁の上面に固定されることにより、床スラブ１に取り付けられている。また、このトラップ桝２内には、排出管６の上端部にトラップ５が着脱自在に設けられるとともに、排出管６の他端部が底部中央を貫通して床スラブ１の下面側に延出されている。さらにトラップ桝２の上面開口には、異物を捕捉するための受籠２ｃが着脱自在に設けられている。
【０００５】
他方、穴部４は、上記嵩上げコンクリート３を打設する前に、トラップ桝２の鍔部２ｂ上に角筒状の止め型枠を配置し、さらに床スラブ１上に、流入管７を支持金物７ａ等によって配管して排水桝との接続端部となる横引き部分の先端部７ｂを上記型枠の側面に突き当て、上記嵩上げコンクリート３を打設して硬化後に、上記止め型枠を撤去することによって形成されたものである。そして、このようにして形成された穴部４の内壁面には、モルタル仕上げの後、エポキシ樹脂等による防食塗装１０が施されている。
【０００６】
ここで、嵩上げコンクリート３の打設前に、床スラブ１からトラップ桝２の鍔部２ｂに至る面に、防水下地モルタルの上にアスファルトを敷設した防水層８が施工されている。
また、嵩上げコンクリート３の打設時に、穴部４の開口部周縁に環状の溝部３ａが形成されており、この溝部３ａ内に、穴部４の開口に設けられたグレーチング９の枠９ａが配置されてモルタルが充填されることにより固定されている。
【発明の開示】
【発明が解決しようとする課題】
【０００７】
ところで、上記構成からなる従来の排水桝においては、当該排水桝の上部が嵩上げコンクリート３に形成された穴部４によって構成されている。このため、モルタル仕上げ等を施しても、表面や入り隅部のＲを円滑に形成することが難しく、よって異物が付着し易い上に洗浄性に劣るために、清掃作業に多くの手間を要するという問題点があった。
【０００８】
また、穴部４がコンクリートによって形成されている結果、クラックが発生するおそれがあり、加えて上記清掃時や高温の排水が流入した際に、表面の防食塗装１０が剥離してコンクリートの腐食を招き易いために、総じて要求されるサニタリー性を保持するためには、そのメンテナンスにも多くの労力を費やすという問題点もあった。
【０００９】
さらに、施工に際しては、止め型枠の設置、溝部３ａ内へのモルタル充填、あるいは止め型枠に対する流入管７の先端部７ｂの位置合わせ等の作業にも熟練と工期を要するとともに、高い施工精度を確保することが困難であるという問題点があり、当該施工に不具合が生じた場合には、その補修作業も発生するという問題点もあった。
【００１０】
本発明は、かかる事情に鑑みてなされたもので、容易に所望の施工精度を確保することができるとともに、施工の作業性が向上し、よって工期の短縮化も実現することができる排水桝を提供することを課題とするものである。
【課題を解決するための手段】
【００１１】
上記課題を解決するために、請求項１に記載の発明は、床部材の上面に、嵩上げコンクリートが打設された床内に埋設される排水桝であって、上記床部材に形成された開口部に取り付けられるとともに底部に排出管が接続され、内周面が金属によって形成された有底筒状の下部桝と、この下部桝の上部に接合一体化されるとともに上記嵩上げコンクリートの厚さ寸法に対応する高さ寸法を有する筒状の金属製の上部桝とを備えてなり、上記上部桝の側壁に流入管および／または側溝の接続部が設けられていることを特徴とするものである。
【００１２】
また、請求項２に記載の発明は、請求項１に記載の発明において、上記下部桝は、上端部に水平方向に形成された鍔部が、上記床部材の開口部周縁の上面に固定され、かつ当該鍔部に上記上部桝の下端部が接合されるとともに、上記床部材の上面から上記下部桝の上記鍔部を介して上記上部桝の外周に至る部分に、上記下部桝の上記鍔部および上記上部桝を全周にわたって覆う防水層が形成されていることを特徴とするものである。
【００１３】
さらに、請求項３に記載の発明は、請求項１または２に記載の発明において、上記上部桝および下部桝は、少なくとも内周面がステンレス鋼によって形成されていることを特徴とするものである。
【発明の効果】
【００１４】
請求項１〜３のいずれかに記載の発明によれば、排水桝を、床部材に取り付けられる内周面が金属製の下部桝と、この下部桝の上部に接合一体化されて嵩上げコンクリート内に配置される金属製の上部桝とによって構成しているために、当該排水桝の全内面が金属によって形成されており、よってその表面や入り隅部のＲを円滑に形成することができるために、異物が付着し難く、かつその洗浄性に優れる。
【００１５】
また、表面にクラックや剥離を生じるおそれがなく、別途防食処理を施すことなく、常時清潔な内面状態を保持することができるために、容易に所望とされるサニタリー性を確保することができる。
【００１６】
さらに、施工に際して、従来のもののように止め型枠の設置やモルタル仕上げおよび防食塗装、あるいはグレーチング枠を固定するためのモルタル充填等が不要になるために、施工の作業性を大幅に向上させることができ、かつ出戻り作業の発生も防ぐことができる。しかも、嵩上げコンクリートの打設前に、流入管や側溝の接続端部を上部桝の側壁に設けられた流入管や側溝の接続部に接続することにより、容易に高い施工性度や接続部の防水性を確保することもできる。
【００１７】
加えて、特に請求項２に記載の発明によれば、上記開口部からの漏水を防止する防水層を、床部材の上面から下部桝の鍔部および上部桝の外面を全周にわたって覆うように形成することにより、防水層端部の納まりが向上するとともに、流入管や側溝との接続部における防水も同時に施工することができるために、防水性も向上させることができる。
【発明を実施するための最良の形態】
【００１８】
図１〜図３は、本発明に係る排水桝の一実施形態を示すもので、図４に示したものと共通する構成部分については、同一符号を付してその説明を簡略化する。
図１および図２に示すように、この排水桝においては、床スラブ（床部材）１の開口部に取り付けられるステンレス製のトラップ桝（下部桝）２の上部に、同じくステンレス製の上部桝１０が接合一体化されている。
【００１９】
この上部桝１０は、内法がトラップ桝２よりも幾分大きく形成された角筒状の部材で、その高さ寸法は、嵩上げコンクリート３の高さ寸法とほぼ等しくなるように形成されている。また、この上部桝１０を画成する４側壁には、各々排水の流入管７の接続端部７ｂが選択的に挿入可能な接続管（接続部）１１が２箇所ずつ（全周で合計８箇所）設けられている。なお、使用されない接続管１１については、上部桝１０の内壁側開口部がステンレス鋼からなる塞ぎ板１７によって耐熱シール等を介して封鎖されることにより、当該接続管１１内部への異物の進入が防止されるとともに、外部の開口端部には、プラグ１２が取り付けられている。さらに、この上部桝１０の上端部には、方形のグレーチング受枠１３が一体的に設けられ、この受枠１３にグレーチング１４が取り付けられている。
【００２０】
そして、上記構成からなる上部桝１０は、図３に示すように、トラップ桝２の鍔部２ｂ上に載置されて、下端突き合わせ部の内周が全周にわたって溶接（Ｗ）されることにより、トラップ桝２に一体的に接合されている。ここで、上記溶接部Ｗの表面は、サニタリー性を高めるために、Ｒ加工が施されている。
また、床スラブ１の上面からトラップ桝２の鍔部２ｂを介して上部桝１０の外周上部に至る部分には、トラップ桝２の鍔部２ｂおよび上部桝１０の外面を全周にわたって覆う防水層１５が形成されている。
【００２１】
この防水層１５は、床スラブ１の上面からトラップ桝２の鍔部２ｂに至る部分に、モルタルによって防水下地を形成し、さらにその上面および上部桝１０の外面を全周にわたって覆うようにして、防水シートを巻回すことにより形成されてものである。
【００２２】
以上の構成からなる排水桝を設置する場合には、予め工場等においてトラップ桝２に上部桝１０を接合一体化したものを施工現場に搬入し、床スラブ１の開口部１ａにトラップ桝２を挿入して、鍔部２ｂの複数箇所においてねじ１６等により床スラブ１の上面に取り付ける。
【００２３】
次いで、床スラブ１の上面からトラップ桝２の鍔部２ｂに至る部分に、モルタルによって防水下地を形成した後に、流入管７の接続端部７ｂを、対応する位置にある上部桝１０の接続管１１に挿入して接続する。この際に、上記流入管７の配管に応じて、使用しなかった接続管１１については、プラグ１２を装着するとともに、上部桝１０の内側開口部に塞ぎ板１７を設けることにより塞いでおく。
【００２４】
そして、上記流入管７の接続が完了した後に、上記防水下地から上部桝１０の外面を全周にわたって覆うようにして、防水シートを巻回すことにより防水層１５を施工する。
次いで、床スラブ１上に、嵩上げコンクリート３を打設して硬化されることにより、当該嵩上げコンクリート３内に上記排水桝を埋設する。そして、上部桝１０の受枠１３にグレーチング１４を取り付けることにより、上記施工が完了する。
【００２５】
このように、上記構成からなる排水桝においては、床スラブ１に取り付けられる内周面がステンレス製のトラップ桝２と、このトラップ桝２の鍔部２ｂに接合一体化されて嵩上げコンクリート３内に配置されるステンレス製の上部桝１０とによって構成しているために、排水桝の全内面がステンレス鋼によって形成されている結果、その表面や入り隅部のＲを円滑に形成することができ、よって異物が付着し難く、かつ容易に洗浄を行うことができる。
【００２６】
また、従来の嵩上げコンクリート３を内壁面の一部として用いたもののように、表面にクラックや剥離を生じるおそれがないために、別途防食処理を施すことなく、常時清潔な内面状態を保持することができ、よって容易にＨＡＣＣＰにおいて要求されるサニタリー性を確保することができる。
【００２７】
さらに、施工に際して、型枠の設置やモルタル仕上げおよび内面の防食塗装等が不要になるために、施工の作業性を大幅に向上させることができ、かつ出戻り作業の発生も防ぐことができる。しかも、嵩上げコンクリート３の打設前に、流入管７の接続端部７ｂを上部桝１０の側壁に設けられた接続管１１に接続することにより、容易に高い施工性度や接続部の防水性を確保することもできる。
【００２８】
加えて、上部桝１０の複数箇所に接続管１１を設けているので、将来流入管７を増設する場合にも、使用していない接続管１１のプラグ１２を取り外して、これに接続することにより、容易に対応することが可能になる。
また、床スラブ１の開口部１ａからの漏水を防止する防水層１５を、床スラブ１の上面からトラップ桝２の鍔部２ｂおよび上部桝１０の外面を全周にわたって覆うように形成しているために、防水層１５の端部における納まりがよく、かつ流入管７との接続部における防水も同時に施工することができるために、防水性も向上させることができる。
【００２９】
なお、上記実施の形態においては、上部桝１０に流入管７に対する接続管１１を設けた場合についてのみ説明したが、これに限るものではなく、側溝と接続されるものに使用する場合には、予め当該側溝との接続部を設けた上部桝を用いることにより、同様に適用することができる。
【図面の簡単な説明】
【００３０】
【図１】本発明に係る排水桝の一実施形態を示す縦断面図である。
【図２】図１の一部断面視した平面図である。
【図３】図１のトラップ桝と上部桝との接合部を示す拡大断面図である。
【図４】従来の排水桝を示す縦断面図である。
【符号の説明】
【００３１】
１  床スラブ（床部材）
１ａ  開口部
２  トラップ桝（下部桝）
２ｂ  鍔部
３  嵩上げコンクリート
６  排出管
７  流入管
７ｂ  接続端部
８  防水層
１０  上部桝
１１  接続管（接続部）
１５  防水層
【図１】
2007146376.tif 000003
【図２】
2007146376.tif 000004
【図３】
2007146376.tif 000005
【図４】
2007146376.tif 000006